Podtech/llm-jp-corpus-v4-ja_patent huggingface dataset:
(57)【要約】      （修正有）【課題】解りにくい金融商品の販促、訴求効果のためのポスターパンフレットスタンドを提供する。【解決手段】商品訴求のためのポスターと商品内容が解るパンフレットをセットして、パンフレットを自由に取れるようにする。商品ポスターだけだと商品の詳しい内容が表現できないので、ポスターの下にその商品パンフレットを置けるようにして、その商品に興味を持った人が取れるようにした。【選択図】図１
0003166895.tif 000002
【実用新案登録請求の範囲】
【請求項１】
銀行もしくは郵便局でポスターの下にパフレットケースを付けた什器。
【考案の詳細な説明】
【技術分野】
【０００１】  銀行もしくは郵便局でポスターにパンフレットスタンドをつけたもの
【背景技術】
【０００２】  今までの銀行のポスターは、大きく分けて金融監督庁からの指導による必ず消費者が見えるところに掛けなければならない必携ポスターとイメージポスターだけであった。しかし、最近は商品ポスターを掲げるようになった。商品ポスターだけであると商品の詳しい内容が表現できないので、ポスターの下にその商品パンフレットを置けるようにして、その商品に興味を持った人が自由に取れるようにした。
【先行技術文献】
【０００３】
【非特許文献】
【非特許文献】  「「Ｔｈｅ  Ｂａｎｋ  Ｏｆｆｉｃｅ  ｏｆ  Ｃｏｎｔｅｍｐｏｒａｒｙ  Ｊａｐａｎ」、社団法人金融財政事情研究会発行、平成６年１月２０日発行
【考案の概要】
【考案が解決しようとする課題】
【０００４】  銀行や郵便局で、新品訴求のためのポスターとその商品の詳しい内容を説明するための方法をどうするかという課題がある。
【課題を解決するための手段】
【０００５】  ポスターの下に商品説明をするためのパンフレットケースを付けた什器を設置する。
【図面の簡単な説明】
【０００６】
【図１】斜視図  １１ａにポスターを貼る。１２ａにパンフレットケースを付ける。
【図１】
0003166895.tif 000003
【手続補正書】
【提出日】平成23年1月5日(2011.1.5)
【手続補正１】
【補正対象書類名】実用新案登録請求の範囲
【補正対象項目名】全文
【補正方法】変更
【補正の内容】
【実用新案登録請求の範囲】
【請求項１】
銀行もしくは郵便局においてポスターとパンフレットケースを組み合わせ、一体にした什器。
(57)【要約】      （修正有）【課題】移設可能であり、天井の低いところでも設置できる組立式のＡＴＭ（現金自動預け払い機）ブースを提供する。【解決手段】工場完成済みのパーツをボルト、ナット、両面テープ等でジョイントする。【選択図】図１
0003166891.tif 000002
【実用新案登録請求の範囲】
【請求項１】
現場で溶接せず、分解、移設ができる組立式のＡＴＭブース
【考案の詳細な説明】
【技術分野】
【０００１】  駅や空港などに設置されているＡＴＭの保護カバー
【背景技術】
【０００２】  ＡＴＭを駅や飛行場やショッピングモールに設置するにあたり、人の動線や繁閑に合わせて移設を可能にするために、ブースを組立式にし、分解して移設できるようにすると同時に、階段の下など天井の低いところにも設置可能なように総高さを低くする。写真１は、現在使用されているもので、高さが２．４ｍ以上（写真１）のものである。そのため、天井が低いところに置くことができなかった。
【先行技術文献】
【０００３】
【非特許文献】
【非特許文献】  「Ｔｈｅ  Ｂａｎｋ  Ｏｆｆｉｃｅ  ｏｆ  Ｃｏｎｔｅｍｐｏｒａｒｙ  Ｊａｐａｎ」、社団法人金融財政事情研究会発行、平成６年１月２０日発行
【考案の概要】
【０００４】  ボックス全体を組立式にするためにパーツ化した。パーツ化することにより、今まで一番上についていたシャッターボックスを背後のスペースに取り付けられるようにし、高さを低くすることを可能にした。
【考案が解決しようとする課題】
【０００５】  ＡＴＭを移設しようとすると、ＡＴＭの保護カバーが建築的に現場で溶接されてつくられていたため、保護カバーを壊さなければならなかった。それを組立式にしたため、分解して移設先でも組立が可能になった。分解式にすることにより、シャッターの位置を上からＡＴＭの裏側に移すことができ、総高さを低くできた。その結果、天井の低いところでも設置できるようになった。
【課題を解決するための手段】
【０００６】  パーツ化し、組立式にする。
【考案の効果】
【０００７】  中央駅（東京駅などのターミナル駅）などにＡＴＭがあれば、わざわざ銀行や郵便局やコンビニなどに行ってＡＴＭで現金の出し入れをする必要がなく大変利便性が高い。しかし、そのような中央駅は、改修、改造を常に行っているため、設置位置が決まらず普及しなかった。移設可能になり、天井が低くても良くなると、階段下や地下のショッピングモールなどにも券売機と一緒に設置することが可能になる。
【図面の簡単な説明】
【０００８】
【図１】  斜視図と三面図
【図２】  完成斜視図
【図３】  部品構成図  図１の１１ａと１２ａは斜視図である。１３ａ、１４ａ、１５ａ、１６ａは三面図（１３ａは上からの断面図）である。図２はパーツごとに分けた完成斜視図であり、図３はパーツの構成図である。２９ａ、２１０ａ、３９ａ、３１０ａ（２９ａと３９ａ、２１０ａと３１０ａは同じものである）の後ろにシャッターが入るが、シャッターを入れるために２４ａ、２５ａ、２１２ａ、３４ａ、３５ａ、３１２ａ（２４ａと３４ａ、２５ａと３５ａ、２１２ａと３１２ａは同じものである）はシャッターを入れる前に取り付けられるような構造にした。
【図１】
0003166891.tif 000003
【図２】
0003166891.tif 000004
【図３】
0003166891.tif 000005
【手続補正書】
【提出日】平成23年1月5日(2011.1.5)
【手続補正１】
【補正対象書類名】実用新案登録請求の範囲
【補正対象項目名】全文
【補正方法】変更
【補正の内容】
【実用新案登録請求の範囲】
【請求項１】
工場完成済のパーツをボルト、ナット、もしくは両面テープ等でジョイントすることにより、現場で溶接せず、分解、移設ができる組立式のＡＴＭブース
(57)【要約】      （修正有）【課題】地すべり対象山岳の地すべり対策運河道路を提供する。【解決手段】地すべり対象山岳より吸収水路水管により運河に吸収水を得て、対象山岳の雨量水分制御を計る吸収水路水管を有した事を特徴とする。地すべり対象山岳の緑化と水分制御そして地すべり土砂止め壁として地すべり対策運河道路にできる。【選択図】図２
0003166898.tif 000002
【実用新案登録請求の範囲】
【請求項１】
海からの交通手段である船をパナマ運河で知られる海水の水位を蒸発の地すべり対策防止壁の水位に昇降できる三段式開門、一段式開門、二段式開門を設けたコンクリート壁運河で海水蒸発量調査に運行させるための地すべり対策運河道路。
【請求項２】
緑化のための海水蒸発量調査船でのニーズに対応した上水道に採用されている海水淡水化装置、施設を運河のコンクリート壁に具備した事を特徴とする請求項１記載の地すべり対策運河道路。
【請求項３】
海水蒸発量調査船でのニーズ生物指標、海水生物の保護のための水族館とその運用施設を運河のコンクリート壁に具備した事を特徴とする請求項１記載の地すべり対策運河道路。
【請求項４】
土壌汚染対策の地すべり土壌耐圧に勝るコンクリート壁で建造された事を特徴とする請求項１記載の地すべり対策運河道路。
【請求項５】
地すべり対象山岳より吸収水路水管により運河に吸収水を得て、対象山岳の雨量水分制御を計る吸収水路水管を有した事を特徴とする請求項１記載の地すべり対策運河道路。
【考案の詳細な説明】
【技術分野】
【０００１】
本考案は、従来の地すべり対策道路としての地すべり対象山岳の地すべり対策コンクリート補強道路に関する。
【背景技術】
【０００２】
日本道路公団、名神高速道路があります。
【考案の開示】
【考案が解決しようとする課題】
【０００３】
しかしながら、名神高速道路の地すべり対策は、皇居に知るお城の石垣造りであり、水量豊かなおほり相当の緑化や水分制御対策がないという欠点がある。
【０００４】
本考案は、上記実情に鑑みてなされたものであり、国内５０万箇処の地すべり対象山岳、中国甘しゅく省２億人の被害者（１７００余命の死者）他の地すべり対策の運河道路の応用である。
【課題を解決するための手段】
【０００５】
上記目的を達成するため考案は、皇居のお城とおほりを備えた地すべり対策の運河道路として次の構成を含むことを特徴としている。地すべり対象山岳の水分・雨量調整の水路（水管）で山岳と運河をつなぎ、運河又は道路の圧力壁で地すべりの耐圧として、運河の蒸発水量により降雨量制御とするコンクリート壁の運河に、海洋生物水族館と淡水生物水族館用海水淡水化装置を有した構成である。
【考案の効果】
【０００６】
本考案により、地すべり対象山岳の緑化と水分制御そして地すべり土砂止め壁として地すべり対策運河道路にできる。
【図面の簡単な説明】
【０００７】
【図１】本考案の地すべり対策運河道路である。
【図２】本考案の地すべり対象山岳と地すべり対策運河道路の組み立て図である。
【考案を実施するための形態】
【０００８】
本考案の実施の形態の一例について、図面を参照しながら説明する。
地すべり対策運河道路は、図１、図２に示すように、地すべり対象山岳６の地すべり止め緑化対策海水蒸発用運河８を結んだ地すべり対象山岳よりの吸収水水路（水管）７を構成している大洋海、河川、湖１、１´パナマ運河もどき又は人工河川、人工道路２、２´蒸発用水運河又は人工道路３、海水淡水化装置４水族館であります。
【符号の説明】
【０００９】
１．１´  大洋海、河川、湖
２．２´  パナマ運河もどき又は人工河川、人工道路
３．      蒸発用水運河又は人口道路
４．      海水淡水化装置
５．      水族館
６.       地すべり対象山岳
７．      地すべり対象山岳よりの吸収水水路（水管）
８.       緑化対策海水蒸発用運河
【図１】
0003166898.tif 000003
【図２】
0003166898.tif 000004
【手続補正書】
【提出日】平成22年12月1日(2010.12.1)
【手続補正１】
【補正対象書類名】実用新案登録請求の範囲
【補正対象項目名】全文
【補正方法】変更
【補正の内容】
【実用新案登録請求の範囲】
【請求項１】
海からの交通手段である船をパナマ運河で知られる海水の水位を昇げた海水量蒸発量調査の運行船で運行するコンクリート壁運河と地すべり対策対象山岳の山肌を城壁の形にした事ではさまれて造られた地すべり対策運河道路。
【請求項２】
地すべり対策対象山岳の緑化のため、上水道に採用されている海水淡水化装置、施設を運河のコンクリート壁から引き出してその道路に具備した事を特徴とする請求項１記載の地すべり対策運河道路。
【請求項３】
海水生物の保護のための水族館とその運用施設を運河のコンクリート壁から引き出してその道路に具備した事を特徴とする請求項１記載の地すべり対策運河道路。
【請求項４】
海水の土壌汚染対策と道路側の地すべり土壌対圧に勝る圧力隔壁としてのコンクリート壁で建造された運河と地すべり対象山岳の山肌を城壁の形にした事ではさまれた事を特徴とする請求項１記載の地すべり対策運河道路。
【請求項５】
地すべり対象山岳と運河水を結んで、海水蒸発量の加わった雨等、地すべり対象山岳の含んだ水分を山肌に突きさした雨量等水分制御を計るための吸収水路水管を山肌の城壁の形にそって排水するため具備した事を特徴とする請求項１記載の地すべり対策運河道路。
【手続補正書】
【提出日】平成23年1月21日(2011.1.21)
【手続補正１】
【補正対象書類名】実用新案登録請求の範囲
【補正対象項目名】全文
【補正方法】変更
【補正の内容】
【実用新案登録請求の範囲】
【請求項１】
海からの交通手段であるパナマ運河で知られる海水の水位を整えて海水量蒸発量調査の運行船で運行する運河のコンクリート壁を土砂流への圧力隔壁として地すべり対策対象山岳の山肌を城壁の形にしたものとを有してその２つにはさまれて造られた地すべり時の土砂流を堆積させる地すべり対策運河道路。
【請求項２】
地すべり対策対象山岳の緑化のため、上水道に採用されている海水淡水化装置を運河のコンクリート長手方向に具備した事を特徴とする請求項１記載の地すべり対策運河道路。
【請求項３】
海水生物の保護のための水族館とその運用施設を運河のコンクリート壁長手方向に具備した事を特徴とする請求項１記載の地すべり対策運河道路。
【請求項４】
海水の土壌汚染対策と道路側の地すべり土砂対圧に勝る圧力隔壁としてコンクリート壁で建造された運河と地すべり対象山岳の山肌を城壁の形にしたものとを有し、その２つにはさまれて造られた事を特徴とする請求項１記載の地すべり対策運河道路。
【請求項５】
地すべり対象山岳の保水の一部を運河に排水するための吸収水路水管を具備した事を特徴とする請求項１記載の地すべり対策運河道路。
(57)【要約】      （修正有）【課題】介助者が介護者をベッドから車椅子等に移動する際、介護者の腰痛などの身体保護や体力的負担などを軽減し介護者の安全面も向上させた介護用ベッド乗降補助具を提供する。【解決手段】ベッド横に座面２をフレーム１の底部と平行になるようにセットしたものを置く、この時座面２はベッドマット上に位置している、座面２の上に介護者を移動させベッド横に腰掛ける姿にする。介助者は開放ペダルを踏みながら介護者を抱え上げると伸縮スプリング付軸３の働きで座面２が上方に移動する力が加わり介護者の体重よりも軽い重量で介護者を抱え上げられる。【選択図】図４
0003166897.tif 000002
【実用新案登録請求の範囲】
【請求項１】
介護を必要とする人がベッドから車椅子などに移動する際に本体１をベッドの横に置き座面２の上に介護者を座らせてから抱えあげると座面が伸縮スプリング付軸３の力により押し上げられ介助者の重量負担を軽減させることを特徴とする装置。
【考案の詳細な説明】
【考案の詳細な説明】
【０００１】本考案を使用してベッドからの乗降にて実施した模様を記述する。
【０００２】［図１］
【０００３】  は本体フレーム１上部に、フレームとの取り付け位置を軸に上下に移動する座面２を取り付け、座面２の移動を操作する伸縮スプリング付軸３及びそのスプリング付軸３の伸びる動作を操作する開放ペダル４を装着した図である。
【０００４】［図２］
【０００５】  の様に座面２を手で押し下げると本体フレーム１の底部と座面２が平行な位置で固定される。
【０００６】［図２］
【０００７】  の姿のものを介護用ベッド横においた状態が
【０００８】［図３］
【０００９】  でありこの位置で介護者を座面上ベッド横‘に腰掛ける姿勢に移動する。
【００１０】［図４］
【００１１】  は介護者を座面上に移動した姿を横から見たところでこの姿勢から介助者は足元の開放ペダル４を踏み座面２を固定から上方移動させるように伸縮スプリング付軸３を開放し介護者をかかえあげる。
【００１２】［図５］
【００１３】  のように伸縮スプリング付軸３が座面を持ち上げようとするので介助者は介護者の体重よりも少量の力にて抱えあげることが出来る。
【考案の効果】
【００１４】  本考案は介助者が介護者をベッドから車椅子等に移動する際、介護者の腰痛などの身体保護や体力的負担などを軽減し介護者の安全面も向上する。
【図面の簡単な説明】
【００１５】
【図１】は本考案の姿図。
【図２】は本考案を使用する時の姿図。
【図３】は本考案をベッド横に置いた設置図。
【図４】は介護者の座姿勢図。
【図５】は介護者が介助者に抱え上げられた姿勢図。
【符号の説明】
【００１６】  ▲１▼本体フレーム。
▲２▼座面。
▲３▼伸縮スプリング付軸。
▲４▼開放ペダル。
【図１】
0003166897.tif 000003
【図２】
0003166897.tif 000004
【図３】
0003166897.tif 000005
【図４】
0003166897.tif 000006
【図５】
0003166897.tif 000007
【手続補正書】
【提出日】平成23年1月4日(2011.1.4)
【手続補正１】
【補正対象書類名】実用新案登録請求の範囲
【補正対象項目名】請求項１
【補正方法】変更
【補正の内容】
【請求項１】
介護を必要とする人がベッドから車椅子等他所に移動する場合に介助者が介護者を抱え上げる際事前に金属フレーム製本体１、金属フレームに上部にクッションを設け本体１との取り付け部を軸に上方回転移動する座面２、座面２を上方回転移動させる動力源であり介護者体重以下のバネ応力を持つ伸縮スプリング付軸３、伸縮スプリング付軸をワイヤーとカムを用いてテコの応用で伸縮を操作する開放ペダル４、からなる本考案をベッドの横に置き座面２の上に介護者を座らせてから開放ペダル４を足で踏み伸縮スプリング付軸３を開放状態にして抱えあげると座面が伸縮スプリング付軸３の力により押し上げる働きの分だけ介助者が介護者を持ち上げる重量負担を軽減させることを特徴とする装置。
(57)【要約】      （修正有）【課題】作業に応じた位置に固定でき、ペットボトル部材の交換のみで長期間使用可能な、エアーガンに取る付ける跳ね返り防止器具を提供する。【解決手段】穴を開けたキャップをエアーガンノズルにはめ、キャップにテーパースリーブをはめ込み、ラッパ状の器具をテーパースリーブに固定する。【選択図】図２
0003166894.tif 000002
【実用新案登録請求の範囲】
【請求項１】
１，金属部品の切削加工に於いて発生する切粉、切削油等の清掃の際、使用するエアーガンに取り付けるラッパ状の跳ね返り防止器具。
【請求項２】
，１の跳ね返り防止具をエアーガンノズルに固定するためのテーパースリーブ。
【請求項３】
，１の跳ね返り防止具と２のテーパースリーブ連結するためのペットボトルのキャップ。
【請求項４】
，以上１、２および３をエアーガンノズルに取り付けて使用する組み合わせ方法。
【考案の詳細な説明】
【技術分野】跳ね返り防止用のフードをエアーガンノズルに固定する為のテーパースリーブとキャップの連結装置。
【背景技術】金属部品の切削加工時に発生する切粉、切削油等を清掃するには作業者がエアーガンで吹き飛ばす方法が、一般的に行われているが、穴部や凹部に入り込んだそれらは勢い良く広範囲に飛び散り、作業者が危険にさらされる。それを避けるための器具。
【先行技術文献】
Ｓ６１−８７５８６
Ｓ６０−３９３８７
Ｕ３０９４９６５
【考案の概要】
金属等の切削加工時に発生する切粉、切削油等の清掃に使用するエアーガンに取り付ける跳ね返り防止器具。
任意の位置で切断した市販のペットボトル本体の注ぎ口周辺部分と、中心部にエアーガンノズルが通る穴を開けたキャップとの間に、ジュラコン樹脂製の角度付き切り込み入り固定具（以下テーパースリーブと言う）を挿み込み、工具を用いずに当器具をエアーガンノズルの任意の位置に固定し、容易に位置の変更・取り外しが可能な器具である。
以上の要領で跳ね返り防止器具をエアーガンに取り付けた状態でワークの清掃作業を行う。
【考案が解決しようとする課題】  金属部品の切削加工において発生する切粉，切削油等を清掃するには作業者がエアーガンで吹き飛ばす方法が一般的に行われているが，穴部や凹部に入り込んだそれらは勢い良く広範囲に飛び散り、作業者が危険にさらされる。
その危険から作業者を守るために，エアーガンに取り付ける跳ね返り防止具が、色々考案されてきた。しかしながら従来の跳ね返り防止具は，頑丈にしようとするあまりＳ６１−８７５８６や、Ｓ６０−３９３８７のようにエアーガンに直接ビスで固定している為、固定位置の変更や取り付け・取り外しの自由度がなかったり，Ｕ３０９４９６５では、カバーの固定が不十分なので、強烈に跳ね返ってくる切粉に耐えきれず、忽ち緩んでしまうという課題があった。
【課題を解決するための手段】  従来の発明品の問題点を解決するため，本考案では，ペットボトル本体首下部分を跳ね返り防止のフードに転用し、ペットボトル本体とキャップの回転締結動作を利用して、間に挿み込んだテーパースリーブを締め付け、その作用でエアーガンノズルに固定するという方式を採用した。
【考案の効果】１、    テーパースリーブで固定するためエアーガンノズルの先端でも根元でも作業に応じて望む位置に当跳ね返り防止器具を固定できる。
２、    最もダメージを受ける所に強度の十分なジュラコン製のテーパースリーブを採用しており、跳ね返り防止フードが破損してもペットボトル部材のみの交換で長い期間に渡って使用できる。
３、    テーパースリーブの切り込みのある面が露出しないようにエアーガンに固定される為、切粉が直接テーパースリーブの可動部分を傷めない理想的な構造になっている。
４、    透明なペットボトルを使用することでノズルの先まで確認でき、目標を確実に狙うことが出来る。
５、    身の回りにありふれたペットボトルを利用できるという事で作業に応じて色々な形状でストックが可能となり、部材の調達に苦労しない。
６、    ハサミとハンドドリル等で簡単に短時間で加工が出来るので、特殊な工具や能力を必要としない。
７、    使用済みのペットボトルを再利用出来るので「資源を無駄にする事無く繰り返し使う」という地球環境に配慮したエコロジーの意識も自然と高まり、経済性の向上や安全性の向上、能率向上、資源の再利用等々、多くの利点を兼ね備えた製品となった。
【図面の簡単な説明】
【図１】▲２▼テーパースリーブを三角法で示した図面である。
【図２】▲１▼ペットボトル、▲２▼テーパースリーブ、▲３▼ペットボトルのキャップ、▲４▼エアーガンノズル  の組み付け順を示した図面である。
【図３】〔図２〕の全部品を組み付けた完成形の断面図である。〔写真の簡単な説明〕〔写真１〕テーパースリーブの組み付け前を撮影した写真である。〔写真２〕テーパースリーブの組み付け後を撮影した写真である。
【考案を実施するための形態】
任意の位置で切断した市販のペットボトル本体の注ぎ口周辺部分と、中心部にエアーガンノズルが通る穴を開けたキャップとの間に、ジュラコン樹脂製の角度付き切り込み入り固定具（以下テーパースリーブと言う）を挿み込み、工具を用いずに当器具をエアーガンノズルの任意の位置に固定し、ワークの清掃作業を行う。
【実施例１】  清掃したい加工物の穴部が浅い場合は、当器具のキャップを一旦緩めてから、ノズルの先端近くに移動し、キャップを締めて再度固定する。
【実施例２】  穴部が深い場合も同様に、キャップを一旦緩めて、適当な位置に移動したら、キャップを締めて再度固定する。
【実施例３】  更に、当器具を用いずに清掃を行いたい場合は、同じ要領でノズル後端にずらして固定すれば、作業の邪魔にならない。
【産業上の利用可能性】  本考案は、上記の課題を克服し、生産者の安全や会社の経済を圧迫しない方法であるから容易に導入可能であり、汚物の清掃などにおける飛来物を避ける器具としても利用が可能な為、金属加工の現場のみならず多くの産業での利用が期待出来る。
【符号の説明】▲１▼ペットボトルは〔考案の概要〕本文中の「任意の位置で切断した市販のペットボトル本体の注ぎ口周辺部分」に該当する。
▲２▼テーパースリーブ〔考案の概要〕本文中の「ジュラコン樹脂製の角度付き切り込み入り固定具」に該当する。
▲３▼ペットボトルのキャップ〔考案の概要〕本文中の「中心部にエアーガンノズルが通る穴を開けたキャップ」に該当する。
▲４▼エアーガンノズル〔考案の概要〕本文中に登場する清掃装置で、当考案による器具を取り付ける本体である。
【図１】
0003166894.tif 000003
【図２】
0003166894.tif 000004
【図３】
0003166894.tif 000005
【手続補正書】
【提出日】平成23年1月5日(2011.1.5)
【手続補正１】
【補正対象書類名】実用新案登録請求の範囲
【補正対象項目名】全文
【補正方法】変更
【補正の内容】
【実用新案登録請求の範囲】
【請求項１】
金属部品の切削加工において発生する切粉および切削油等を清掃する際に使用するエアーガンノズルに取り付けるラッパ状の跳ね返り防止器具であって、穴を開けたキャップをエアーガンノズルにはめ、そのキャップにテーパースリーブをはめ込み、ラッパ状の跳ね返り防止器具を、そのテーパースリーブに固定した事、を特徴とした跳ね返り防止器具。
(57)【要約】      （修正有）【課題】小さなスペースへの搭載が可能な表面実装用焦電型赤外線検出器用として使用可能な小型化フレネルレンズであり、小型化、薄型化、省スペース化の進むテレビ、エアコン等の家電製品、芳香剤のような家庭用品へも搭載可能な小型化フレネルレンズを提供する。【解決手段】フック部を除くサイズがφ８．２ｍｍ以下とした円柱状の外形とし、天面のレンズ部１、側面の支持部、側面部下に実装基板との勘合の為に形成されているフック部３から構成する。【選択図】図３
0003166823.tif 000002
【実用新案登録請求の範囲】
【請求項１】
赤外線透過性を有する高密度ポリエチレンからなる円柱状の外形を有し、天面のレンズ部、側面の支持部、側面部下に実装基板との勘合の為に形成されているフック部から構成され、レンズ部の片面にフレネル構造を備える構造体で、フック部を除くサイズがφ８．２ｍｍ以下となる事を特徴とする表面実装用焦電型赤外線検出器用フレネルレンズ。
【請求項２】
レンズ部形状が、平面、球面、若しくは非球面の何れかの形状を備える請求項１の表面実装用焦電型赤外線検出器用フレネルレンズ。
【考案の詳細な説明】
【技術分野】
【０００１】
本考案は、表面実装用焦電型赤外線検出器用フレネルレンズの構造に関し、小型化で且つ家電製品等に少ないスペースで取り付けが可能となる事を特徴とする表面実装用焦電型赤外線検出器用フレネルレンズに関する。
【背景技術】
【０００２】
焦電型赤外線検出器の集光用レンズとして使用されるフレネルレンズや凸レンズなどの赤外光学レンズは、ポリエチレンを材料とし、射出成型により成型されている。
【０００３】
現在、焦電型赤外線検出器の市場拡大、アプリケーションの多様化に伴い、従来のセキュリティー、照明等の分野に加え、テレビ、エアコン等の家電製品、芳香剤のような家庭用品にまで広がっている。
【０００４】
このような市場拡大、多様化の中、より小さなスペースに焦電型赤外線検出器を搭載するために表面実装用等の小型な焦電型赤外線検出器があるが、それに対応したフレネルレンズのサイズへの要求を十分に満足できていない。
【先行技術文献】
【特許文献】
【０００５】
【特許文献１】特開平８−３１３３３９号
【考案の概要】
【考案が解決しようとする課題】
【０００６】
本考案は、この課題を解決するものであり、小さなスペースへの搭載が可能な表面実装用焦電型赤外線検出器用として使用可能な小型化フレネルレンズであり、小型化、薄型化、省スペース化の進むテレビ、エアコン等の家電製品、芳香剤のような家庭用品へも搭載可能な小型化フレネルレンズを提供する事を目的とする。
【課題を解決するための手段】
【０００７】
これらの課題を解決する為に、フック部を除くフレネルレンズのサイズがφ８．２ｍｍ以下とする事を特徴とする。
【考案の効果】
【０００８】
本考案の表面実装型焦電型赤外線検出器用フレネルレンズは、上記の様なサイズとする事で、これまで市場の要求を満足させる事が出来なかった小さな実装スペースへも、焦電型赤外線検出器が搭載可能な小型フレネルレンズを提供する事が可能である。
【図面の簡単な説明】
【０００９】
【図１】表面実装用焦電型赤外線検出器用フレネルレンズ外形図である。
【図２】表面実装用焦電型赤外線検出器用フレネルレンズ断面図である。
【図３】表面実装用焦電型赤外線検出器用フレネルレンズ組み込み図である。
【考案を実施するための形態】
【００１０】
以下、本考案の実施の形態について、図を参照して詳細に説明する。
【実施例１】
【００１１】
実施例１に係る焦電型赤外線検出器について、図１、図２を参照して詳細に説明する。
【００１２】
図１は本考案の実施形態１に係る表面実装用焦電型赤外線検出器用フレネルレンズの外観図である。
【００１３】
本考案のフレネルレンズは図１に示す様に、円柱状の外形を有し、天面のレンズ部１、側面の支持部２、側面部下に実装基板との勘合の為に形成されているフック部３から構成される。
【００１４】
また、図２に示す様に、フレネルレンズ内部は空洞になっており、底面側に表面実装用焦電型赤外線検出器が配置される構造となっている。
【００１５】
この構造のフレネルレンズは、射出成型により成型される。
【００１６】
この時、フック部を除くフレネルレンズのサイズは、φ８．２ｍｍ以下とする。
【００１７】
図２のレンズ部Ａ面は、意匠面となる為、実装される筐体に沿った形状とする。図２では、平面図としているが、必ずしも平面とする必要は無い。
【００１８】
また、図２のレンズ部Ｂ面は、焦電型赤外線検出器の受光部に赤外線が集光するように設計されたフレネル構造を形成している。
【００１９】
フレネルレンズに使用される材料は、赤外線透過特性を有する高密度ポリエチレンとし、高密度ポリエチレンは耐候性を有するグレードを使用する。
【００２０】
また、意匠部品である為、最終製品の筐体色にフレネルレンズの色を調色する必要があるが、その際、高密度ポリエチレンの透過率をフレネルレンズとして使用可能とするために、顔料若しくは染料の配合比率は、０．５ｗ％以下とすることが好ましい。
【００２１】
本考案のフレネルレンズは、上記の様なサイズとする事で、これまで市場の要求を満足させる事が出来なかった小さな実装スペースへも、焦電型赤外線検出器が搭載可能な小型フレネルレンズを提供する事が出来る。
【符号の説明】
【００２２】
１      フレネルレンズ
２−Ａ  フレネルレンズＡ面
２−Ｂ  フレネルレンズＢ面
３      表面実装用焦電型赤外線検出器
【図１】
0003166823.tif 000003
【図２】
0003166823.tif 000004
【図３】
0003166823.tif 000005
(57)【要約】      （修正有）【課題】保管や持ち運び、梱包の便を図ったエキスパンダーを提供する。【解決手段】エキスパンダーは、中央取付台１の左右にそれぞれ二レール式の凹弧形をなすレール棒２を固設し、外側端に地面につっぱる状態で置かれる足部２０を形成し、左右のレール棒上には滑車によって左右にスライド移動可能な握り部を取り付ける。中央取付台及びレール棒の足部は地面につっぱらせて置き、使用者は両手で握り部３をつかみ、足先を地面或いは台上でつっぱらせ、うつ伏せにした身体をエキスパンダー上で支え、両手で握り部を推移させると、握り部はレール棒に沿って内側或いは外側にスライドし、レール棒の凹弧形体及び両端縁のストッパー２１に係合する。【選択図】図１
0003166815.tif 000002
【実用新案登録請求の範囲】
【請求項１】
中央取付台とレール棒と握り部とを組み合わせて構成されるエキスパンダーにおいて、
前記中央取付台は、地面につっぱる状態で置かれる取付架台とし、中央取付台１の左右にはそれぞれ、二端のエッジにストッパーを備え、二レール式凹弧形をなすレール棒を固設し、レール棒の外側端には地面につっぱる状態で置かれる足部を形成し、左右のレール棒上にはそれぞれ、滑車によって左右にスライド移動可能な握り部を取り付けることを特徴とするエキスパンダー。
【請求項２】
前記中央取付台及びレール棒は、上方向に反転させられる軸回転構造とすることを特徴とする請求項１に記載のエキスパンダー。
【考案の詳細な説明】
【技術分野】
【０００１】
本考案は、エキスパンダーに関する。それは、中央取付台の左右にそれぞれ二レール式の凹弧形をなすレール棒を固設し、外側端に地面につっぱる状態で置かれる足部を形成し、左右のレール棒上には滑車によって左右にスライド移動可能な握り部を取り付け、中央取付台及びレール棒の足部を地面につっぱらせる。使用者は両手で握り部をつかみ、足先を地面或いは台上でつっぱらせ、体をうつ伏せにした状態でエキスパンダー上で身体を支え、両手で握り部を推移させると、握り部はレール棒に沿って内側或いは外側にスライドし、レール棒の凹弧形体及び両端縁のストッパーに係合する。このような往復運動によって、身体の上下の動きと胸部を広げる位置移動が行われ、胸部筋肉の鍛錬と腕の力、腰の力の訓練を達成する実用的な考案となる。
【背景技術】
【０００２】
飲食の不均衡及び運動場所や運動量の欠乏し、身体の健康に対する人々の関心が日々高まる中、スポーツ健康器具はこれに対応するために出現した。しかし、現在、同時に胸部の筋肉を鍛え、腕の筋肉、腰部や腹筋を訓練する器具は非常に少なく、あったとしても、高価であるか、重量が重いなど、依然として設計に改善を加え研究を積み重ねる必要性がある。
【考案の概要】
【考案が解決しようとする課題】
【０００３】
上述に鑑み、本考案者は、十数年来スポーツ器具の製作及び設計に従事してきた経験を基に、研究に尽力を注ぎ、以上の欠点に対する改善法を探究し続けた。そして、実験試作を繰り返し、ついに本考案のエキスパンダーの開発に至った。
【課題を解決するための手段】
【０００４】
本考案の主な目的は、次のエキスパンダーを提供することにある。それは、中央取付台の左右にそれぞれ二レール式の凹弧形をなすレール棒を固設し、外側端に地面につっぱる状態で配置する足部を形成し、左右のレール棒上には滑車によって左右にスライド移動可能な握り部を取り付ける。中央取付台及びレール棒の足部を地面につっぱる状態で置き、使用者は両手で握り部をつかみ、足先を地面或いは台上でつっぱらせる。うつ伏せにした身体はエキスパンダー上で支えられ、両手で握り部を推移させると、握り部はレール棒に沿って内側或いは外側にスライドし、レール棒の凹弧形体及び両端縁のストッパーに係合する。このような往復運動によって、身体の上下の動きと胸部を広げる位置移動が行われ、胸部筋肉の鍛錬と腕力、腰部の訓練を達成する実用的な考案となる。
【０００５】
本考案の次の目的は次のエキスパンダーを提供することにある。それは、中央取付台とレール棒の左右を上方向に反転させた軸回転構造としたもので、これにより、使用後、左右の二レール式の凹弧形をなすレール棒を逆方向の上下に重ねて置けるため、収納空間を縮小し、保管や持ち運び、梱包の利便をはかる実用的な考案となる。
【考案の効果】
【０００６】
本考案のエキスパンダーは、胸部の筋肉トレーニング及び腕部、腰部、腹部の筋肉トレーニング効果を同時に備える他、収納空間を縮小し、保管や持ち運び、梱包の利便をはかる効果を備えるものである。
【図面の簡単な説明】
【０００７】
【図１】本考案の実施例に関する立体図である。
【図２】本考案の実施例に関する分解斜視図である。
【図３】本考案の実施例を重ね合わせて収納した状態の立体図である。
【考案を実施するための形態】
【０００８】
本考案の構造及びその効果を更にご理解いただくために、次に図面を組み合わせた実施例により詳細説明を行なう。
【実施例】
【０００９】
図に示す通り、本考案は主に、中央取付台１とレール棒２と握り部３とを組み合わせて構成される。その内、中央取付台１は、地面につっぱる状態で置かれる取付架台とし、中央取付台１の左右にはそれぞれ、二端のエッジにストッパー２１を備える二レール式凹弧形をなすレール棒２を固設し、レール棒２の外側端には地面につっぱる状態で配置される足部２０を形成し、左右のレール棒２上にはそれぞれ、滑車３０によって左右にスライド移動可能な握り部３を取り付ける。また、中央取付台１及びレール棒２は、図３に示す通り、左右を上方向に反転させた軸回転構造とすることも可能である。
【００１０】
実際に操作使用する場合、使用者は、中央取付台１とレール棒２の足部２０を用いて本考案を地面上に置き、両手で握り部３をつかみ、足先を地面或いは台上でつっぱらせ、うつ伏せにした身体をエキスパンダー上で支え、両手で握り部３を推移させると、握り部３はレール棒２に沿って内側或いは外側にスライドし、レール棒２の凹弧形体及び両端縁のストッパー２１に係合する。このような往復運動によって、身体の上下の動きと胸部を広げる位置移動が行われ、胸部筋肉の鍛錬と腕力、腰部や腹筋の訓練を達成する効果を奏する。使用後は、左右の二レール式の凹弧形をなすレール棒２を上方向に反転させて逆方向の上下に重ねて置けるため、収納空間を縮小し、保管や持ち運び、梱包の利便をはかることができる。
【００１１】
本考案の構造及び器具は、市場や刊行物では未見であり、胸部の筋肉トレーニング及び腕部、腰部、腹部の筋肉トレーニング効果を同時に備える他、収納空間を縮小し、保管や持ち運び、梱包の利便をはかる作用を有し、効果上、明らかな向上が見られ、実用新案の創作或いは改善要件に十分に符合することが理解される。
【００１２】
前述をまとめると、上述は本考案の一部実施例に過ぎず、本考案を制限するものではないため、本考案の創作精神及び特徴に基づく若干の変化及び修飾を加えたものは全て、本考案の実用新案登録請求の範囲内に含まれることをここに記する。    
【符号の説明】
【００１３】
１  中央取付台
２  レール棒
３  握り部
２０  足部
２１  ストッパー
３０  滑車
【図１】
0003166815.tif 000003
【図２】
0003166815.tif 000004
【図３】
0003166815.tif 000005
(57)【要約】【課題】生体試料の切断後における作業効率に優れたミクロトームを提供する。【解決手段】ミクロトーム１０の切刃１４の上面にはスライドガラス１７を設置可能な設置部１８が形成されている。設置部１８は、スライドガラス１７の面積よりも広く、且つスライドガラス１７の厚み分切刃１４が陥没してなる。当該設置部１８にスライドガラス１７を設置すると、切刃１４の上面とスライドガラス１７の上面とは同一面となる。スライドガラス１７には生体試料の患者名を記載する氏名記載欄２０が記載されている。したがって、切刃１４によって切断された切片２２は、移動体１３の移動に伴いスライドガラス１７上へ移動することとなる。【選択図】      図１
0003166861.tif 000002
【実用新案登録請求の範囲】
【請求項１】
本体に対して移動可能に取付けられた移動体の支持部により支持された切刃によって、前記切刃の通過路上に支持された試料を、前記切刃の通過に従い薄片状に切断するミクロトームにおいて、
前記切刃の上面とスライドガラスの上面とが同一面となるように当該スライドガラスを設置する設置部を備えていることを特徴とするミクロトーム。
【請求項２】
前記設置部は前記切刃に設けられ、前記切刃の上面が陥没して形成されていることを特徴とする請求項１に記載のミクロトーム。
【考案の詳細な説明】
【技術分野】
【０００１】
本考案は、生体試料を薄片状に切断して切片を得るためのミクロトームに関するものである。
【背景技術】
【０００２】
病理学的診断において、生体試料の切片を得るために既知のミクロトームが利用されている（例えば特許文献１）。ミクロトームでは、生体試料を試料保持部に固定し、移動体の支持部により支持された切刃によって生体試料が薄片状に切断される。ミクロトームによって切断された切片は、ピンセット等でスライドガラス上に移動され、顕微鏡による診断等、病理学的診断が行われる。
【先行技術文献】
【特許文献】
【０００３】
【特許文献１】特開平３−２０９１４５号公報
【考案の概要】
【考案が解決しようとする課題】
【０００４】
ここで切片は薄片状であるため脆弱で、ピンセット等で持ち上げると破れてしまう可能性がある。切片が破れてしまうと再度切片の作製が必要となる。また、ミクロトームによる生体試料の切断を連続的に行う際には、切断を行う度に切片をスライドガラス上に移動する必要がある。これらにより、従来のミクロトームでは作業効率に問題があった。
【０００５】
本考案は、上記事情を鑑みてなされたものであり、生体試料の切断後における作業効率に優れたミクロトームを提供することを目的とするものである。
【課題を解決するための手段】
【０００６】
上記課題を解決するため、本考案は、本体に対して移動可能に取付けられた移動体の支持部により支持された切刃によって、前記切刃の通過路上に支持された試料を、前記切刃の通過に従い薄片状に切断するミクロトームにおいて、前記切刃の上面とスライドガラスの上面とが同一面となるように当該スライドガラスを設置する設置部を備えていることを特徴とする。
【０００７】
本考案によると、切刃によって切断された試料の切片は、移動体の移動に伴い切刃の上面に移動する。ここで切刃の上面とスライドガラスの上面とが同一面となっていることから、切片は切断後にスライドガラス上へ移動していく。したがって、切断後の作業効率の向上が図れる。
【考案の効果】
【０００８】
本考案によれば、生体試料の切断後に、切片を別途スライドガラスへ移動させる必要がなくなり、作業効率に優れたものとなる。
【図面の簡単な説明】
【０００９】
【図１】（ａ）は本実施形態におけるミクロトームの斜視図であり、（ｂ）は（ａ）におけるＸ部分の拡大図であり、（ｃ）は（ｂ）におけるＡ−Ａ線断面図である。
【考案を実施するための形態】
【００１０】
以下、本考案を具体化した一実施形態を図面に基づいて説明する。
【００１１】
図１（ａ）に示すとおり、ミクロトーム１０は、ミクロトーム本体１１に対して長さ方向ほぼ全体に形成されたガイド溝１２と、ガイド溝１２に沿って移動可能に取付けられた移動体１３とを備えている。移動体１３には切刃１４を支持可能な切刃支持部１５が形成され、当該切刃支持部１５に切刃１４が支持（固定）されている。切刃１４は移動体１３の移動に伴い水平移動する。また、ミクロトーム本体１１の側部には、切刃１４が移動する通過路上に生体試料２１を支持可能な試料支持部１６が形成されており、試料支持部１６に支持された生体試料２１は切刃１４の移動により薄片状に切断される。
【００１２】
切刃１４の上面には顕微鏡用のスライドガラス１７を設置可能な設置部１８が形成されている。具体的には図１（ｂ）及び図１（ｃ）に示すとおり、設置部１８は、切刃１４の上面が、スライドガラス１７の面積よりも広く、且つスライドガラス１７の厚み分陥没して形成されている。当該設置部１８にスライドガラス１７を設置した場合、切刃１４の上面とスライドガラス１７の上面とは同一面となる。また、設置されたスライドガラス１７は、切刃支持部１５の上面に設けられ弾性力によりスライドガラス１７の上面を下向に押圧する板バネ等の固定具１９によって固定される。スライドガラス１７には生体試料２１の患者名を記載する氏名記載欄２０が記載されている。
【００１３】
ここで、本実施形態による生体試料２１の切片作製手順について説明する。
【００１４】
固定具１９を上方に押上げ、氏名記載欄２０に患者名を記載したスライドガラス１７を設置部１８に設置する。生体試料２１をミクロトーム１０の試料支持部１６により支持し、移動体１３をガイド溝１２に沿って移動させると、生体試料２１は切刃１４によって切断される。
【００１５】
移動体１３の移動に伴い、生体試料２１の切片２２は切刃１４の上面から切刃１４の上面と同一面であるスライドガラス１７上に移動する。生体試料２１の切片２２が乗ったスライドガラス１７は、固定具１９を上方向に押上げることでミクロトーム１０より取外すことが可能である。取外したスライドガラス１７は、氏名記載欄２０に記載された患者名と生体試料２１の患者名を確認したうえで、顕微鏡による診断等の病理学的診断に供される。
【符号の説明】
【００１６】
１０…ミクロトーム、１１…ミクロトーム本体、１２…ガイド溝、１３…移動体、１４…切刃、１５…切刃支持部、１６…試料支持部、１７…スライドガラス、１８…設置部、１９…固定具、２０…氏名記載欄、２１…生体試料、２２…切片
【図１】
0003166861.tif 000003
(57)【要約】      （修正有）【課題】ガス溶解装置からの配管の取り回しや掃除が容易であり、収納時に嵩張らないガス溶解装置における給・排水配管構造を提供する。【解決手段】該ガス溶解装置Ｘから露出する外部配管部分Ｙを、外側の配管１ａに、内側の配管１ｂを挿入した、二重管とし、これら内・外配管１ａ、１ｂの一方を、給管として使用し、他方を、排管として使用したり、あるいは、内・外配管１ａ、１ｂを給管として使用したり、前記内・外配管１ａ、１ｂを排管として使用する。【選択図】図１
0003166859.tif 000002
【実用新案登録請求の範囲】
【請求項１】
ガス溶解装置（Ｘ）における給・排水配管において、該ガス溶解装置（Ｘ）から露出する外部配管部分（Ｙ）を、外側の配管（１ａ）に、内側の配管（１ｂ）を挿入した、二重管とし、これら内・外配管（１ａ）（１ｂ）の一方を、給管側に使用し、他方を、排管側に使用することを特徴とするガス溶解装置における給・排配管構造。
【請求項２】
ガス溶解装置（Ｘ）における給・排水配管において、該ガス溶解装置（Ｘ）から露出する外部配管部分（Ｙ）を、外側の配管（１ａ）に、内側の配管（１ｂ）を挿入した、二重管とし、これら内・外配管（１ａ）（１ｂ）の両方を、給管として使用し、あるいは、これら内・外配管（１ａ）（１ｂ）の両方を、排管として使用することを特徴とするガス溶解装置における給・排配管構造。
【考案の詳細な説明】
【技術分野】
【０００１】
この考案は、ガス溶解装置における給・排配管構造に関するものである。
【背景技術】
【０００２】
従来、炭酸泉（炭酸水）を生成するために、温水に二酸化炭素を溶解させる装置であり、これを炭酸温水製造装置，即ち，ガス溶解装置といい、該ガス溶解装置は、家庭用の浴槽やリハビリ施設等の外部浴槽に給水管で送られており、また、ガスの抜けた外部水槽より排水管にて、再び、ガス溶解装置に戻るよう、順次、外部循環水用ポンプによって循環可能に構成している。
【０００３】
そして、ガス溶解装置は、通常の給・排水が独立した２本の配管から構成されており、例えば、一般の家庭で浴槽にバブルを発生させるため使用する場合には、浴槽の近傍に配置するため、ガス溶解装置から浴槽までの配管の取り回しや、使用後の清掃が煩雑であり、しかも、収納時に嵩張るという欠点があった。例えば、特許文献１のように。
【先行技術文献】
【特許文献】
【０００４】
【特許文献１】特開２００７−４７０号公報
【考案の概要】
【考案が解決しようとする課題】
【０００５】
そこで、考案が解決しようとする課題は、ガス溶解装置からの配管の取り回しや掃除が容易であり、収納時に嵩張らないガス溶解装置における給・排水配管構造を開発・提供することにある。
【課題を解決するための手段】
【０００６】
この考案による課題を解決するための手段としては、ガス溶解装置の給・排水に使用されている２本の配管を、ガス溶解装置の外部の配管においては１本化しようとするものである。
【考案の効果】
【０００７】
この考案によると、給・排の配管を内側の配管、外側の配管の二重管に構成し、ガス溶解装置の外部に、この１本からなる二重管を露出して配管とし、該配管の一方を給管、他方を排管にすることにより、配管の取り回しや掃除が容易であり、収納時に嵩張らない等の極めて有益なる効果を奏する。
【０００８】
また、内側の配管、外側の配管の両方を、給水用に、あるいは排水用に使用することによって、より迅速に、給水あるいは排水をすることができる等の効果を奏する。
【図面の簡単な説明】
【０００９】
【図１】この考案の一実施例を示す一部欠截正面図である。
【考案を実施するための形態】
【００１０】
以下、この考案の好適な実施の形態について述べると、ガス溶解装置の外部において、従来２本の配水管を、二重管として１本の配管とし、給・排管を単一管に形成したものである。
【実施例】
【００１１】
そこで、この発明の一実施例を図１に基づいて詳細に説明すると、ガス溶解装置（Ｘ）における給・排水配管において、該ガス溶解装置（Ｘ）から露出する外部配管部分（Ｙ）を、外側の配管（１ａ）に、内側の配管（１ｂ）を挿入した、二重管とし、これら内・外配管（１ａ）（１ｂ）の一方を、給管側に使用し、他方を、排管側に使用することを特徴とするガス溶解装置における給・排配管構造からなるものである。
【００１２】
次に、この考案の他の実施例を図１に基づいて詳細に説明すると、ガス溶解装置（Ｘ）における給・排水配管において、該ガス溶解装置（Ｘ）から露出する外部配管部分（Ｙ）を、外側の配管（１ａ）に、内側の配管（１ｂ）を挿入した、二重管とし、これら内・外配管（１ａ）（１ｂ）の両方を、給管として使用し、あるいは、これら内・外配管（１ａ）（１ｂ）の両方を、排管として使用することを特徴とするガス溶解装置における給・排配管構造からなるものである。
【００１３】
尚、当然のことながら、外側の配管（１ａ）を給水管とした場合は、内側の配管（１ｂ）を排水管として使用したり、逆に、外側の配管（１ａ）を排水管とした場合には、内側の配管（１ｂ）を給水管として使用してもよいものである。
【００１４】
また、この考案のさらに他の実施例を説明すると、ガス溶解装置（Ｘ）における給・排水配管において、該ガス溶解装置（Ｘ）から露出する外部配管部分（Ｙ）を、外側の配管（１ａ）に、内側の配管（１ｂ）を挿入した、二重管とし、これら配管（１ａ）（１ｂ）の一方を、給水管、あるいは給気管とし、他方を、排気管、あるいは排水管として使用することを特徴とするガス溶解装置における給・排配管構造からなるものである。
【００１５】
また、二重管とするには、外側の配管（１ａ）に、内側の配管（１ｂ）を挿入する接合部の工夫を必要とするものであり、その構造に関しては、種々考えられる。
【００１６】
そして、本願に使用するガス溶解装置（Ｘ）は、液体に気体を高濃度に溶解する目的で設計したものであり、外側の配管（１ａ）の流量を損ねることがないような配管径の選択することや、内側の配管（１ｂ）は、圧力を高めることにより流量を確保する構造とする必要がある。
【産業上の利用可能性】
【００１７】
この考案のガス溶解装置における給・排配管構造の技術を確立し、該技術を実施・販売することにより、産業上利用可能性があるものである。
【符号の説明】
【００１８】
１ａ  外側の配管
１ｂ  内側の配管
Ｘ  ガス溶解装置
Ｙ  外部配管部分
【図１】
0003166859.tif 000003